(57)【要約】【課題】発光素子の数を少なく抑えながらより広い範囲での発光を可能にする。【解決手段】導光板１１は、長手方向Ｘの一端部１１Ａから入射した光を他端部１１Ｂに向けて導光するものであり、幅方向Ｙに対向する一対の第１側面１１Ｄと、第１側面の間を連結する第２側面１１Ｅを備える。第１側面１１Ｄの端部にＬＥＤからの光が入射する入射面部３２を設ける。第２側面１１Ｅは、端から順に、入射面部の外端３２Ａに相当する外端ラインＬ１よりも外側にはみ出し０°＜θ１＜９０°を満たす第１辺部１１Ｅ１と、θ１＜θ２≦９０°を満たす第２辺部１１Ｅ２と、９０°＜θ３≦１８０°−θＣを満たす第３辺部１１Ｅ３（但し、θＣ：臨界角）と、９０°＜θ４≦１８０°−θＣを満たしＬＥＤから直進する光を全反射させる第４辺部１１Ｅ４とを備える。【選択図】図４
2018129123.tif 000002
【特許請求の範囲】
【請求項１】
第１方向の一端部から入射した光を他端部に向けて導光する導光板であって、
前記第１方向に垂直な第２方向において対向する一対の第１側面と、前記一端部において前記一対の第１側面の間を連結する第２側面と、を備え、
少なくとも一方の前記第１側面における前記第２側面側の端部に発光素子からの光が入射する入射面部が設けられ、
前記第２側面は、前記第１側面側の端部から順に、
前記入射面部の外端に相当する外端ラインよりも外側にはみ出し、前記入射面部を外側に延長した入射面ラインに対する角度θ１が０°＜θ１＜９０°を満たす第１辺部と、
前記入射面ラインに対する角度θ２がθ１＜θ２≦９０°を満たす第２辺部と、
導光板内部から外部に進む光の臨界角をθＣとして前記入射面ラインに対する角度θ３が９０°＜θ３≦１８０°−θＣを満たす第３辺部であって、当該第３辺部の先端が前記外端ライン上又は外端ラインよりも内側に位置する第３辺部と、
前記発光素子から直進する光を全反射させる部分であって、前記入射面ラインに対する角度θ４が９０°＜θ４≦１８０°−θＣを満たす１又は複数の第４辺部と、
を備え、前記第４辺部は、前記第３辺部から段状に設けられ、前記１の第４辺部の先端又は複数の第４辺部のうちの少なくとも１つの第４辺部の先端が前記入射面部の内端に相当する内端ライン上又は内端ラインよりも内側に位置している、
導光板。
【請求項２】
前記第３辺部が９０°＋θＣ／２≦θ３≦１８０°−θＣを満たし、前記１又は複数の第４辺部が９０°＋θＣ／２≦θ４≦１８０°−θＣを満たす、請求項１に記載の導光板。
【請求項３】
前記第１辺部の角度θ１が前記発光素子の半減角以上である、請求項１又は２に記載の導光板。
【請求項４】
請求項１〜３のいずれか１項に記載の導光板と、
加飾層と、
前記導光板よりも低い屈折率を持つ樹脂層であって、前記導光板と前記加飾層の間に設けられた第１低屈折率層と、
前記導光板の一方面に部分的に接し設けられて、前記導光板から進入する光を放散させて加飾板のオモテ面から部分的に光を放出させる光放散層と、
を備える加飾板。
【請求項５】
請求項４に記載の加飾板を含む加飾成形品。
【請求項６】
請求項５に記載の加飾成形品と、前記入射面部に光を入射する発光素子と、を備える加飾モジュール。
【発明の詳細な説明】
【技術分野】
【０００１】
本発明の実施形態は、導光板、並びに、該導光板を用いた加飾板、加飾成形品及び加飾モジュールに関するものである。
【背景技術】
【０００２】
自動車等の車両の内装部品や電気製品の筺体には、それらの表面に意匠性を付与するために、加飾板を組み込んだ樹脂成形品が用いられることがある（特許文献１）。また、意匠性を向上するために、加飾板に導光板を組み込んだものも提案されている（特許文献２）。
【０００３】
一方、導光板は、液晶表示パネルをはじめとした様々な分野で用いられており、発光効率を向上したり、均一な発光を可能にしたりするための提案がされている（特許文献３，４参照）。
【０００４】
導光板としては、その長手方向の一端部における側面から入射した光を、他端部に向けて導光する、即ち長手方向を導光方向として導光するものがある。従来、かかる導光板において、発光素子であるＬＥＤは、一般に、長手方向での導光距離を稼ぐために、長手方向に向けて光が入射されるように設置され、また、幅方向を含めた導光板全体での発光を可能にするべく、複数のＬＥＤが一列に並べて設置されている。
【先行技術文献】
【特許文献】
【０００５】
【特許文献１】特開２０１２−１５３１０７号公報
【特許文献２】特開２０１４−０７７８２１号公報
【特許文献３】特開２０１６−０５８３８８号公報
【特許文献４】特開２０１６−１５４１１９号公報
【発明の概要】
【発明が解決しようとする課題】
【０００６】
しかしながら、コスト削減のためには、少ないＬＥＤで導光板の全体を発光することが望ましい。その場合に、例えば、導光板の長手方向における一端部の側面にＬＥＤを１つだけ設け、当該１つのＬＥＤから発せられた光が長手方向に入射されるように設定すると、長手方向への導光距離は稼げるものの、幅方向への広がりが不十分となる。そのため、例えば、幅方向において対向する側面にＬＥＤを配置し、当該幅方向に光を入射させることが考えられるが、単に幅方向から光を入射しただけでは、当該幅方向への光の広がりは得られるものの、長手方向の一端部に入射された光が他端部に届きにくく、本来の導光方向（即ち、長手方向）への導光距離を稼ぐことができない。
【０００７】
本発明の実施形態は、以上の点に鑑み、発光素子の数を少なく抑えながらより広い範囲での発光を可能にすることができる導光板を提供することを目的とする。
【課題を解決するための手段】
【０００８】
一実施形態に係る導光板は、第１方向の一端部から入射した光を他端部に向けて導光する導光板であって、前記第１方向に垂直な第２方向において対向する一対の第１側面と、前記一端部において前記一対の第１側面の間を連結する第２側面と、を備え、少なくとも一方の前記第１側面における前記第２側面側の端部に発光素子からの光が入射する入射面部が設けられている。前記第２側面は、前記第１側面側の端部から順に、前記入射面部の外端に相当する外端ラインよりも外側にはみ出し、前記入射面部を外側に延長した入射面ラインに対する角度θ１が０°＜θ１＜９０°を満たす第１辺部と、前記入射面ラインに対する角度θ２がθ１＜θ２≦９０°を満たす第２辺部と、導光板内部から外部に進む光の臨界角をθＣとして前記入射面ラインに対する角度θ３が９０°＜θ３≦１８０°−θＣを満たす第３辺部であって、当該第３辺部の先端が前記外端ライン上又は外端ラインよりも内側に位置する第３辺部と、前記発光素子から直進する光を全反射させる部分であって、前記入射面ラインに対する角度θ４が９０°＜θ４≦１８０°−θＣを満たす１又は複数の第４辺部と、を備える。前記第４辺部は、前記第３辺部から段状に設けられ、前記１の第４辺部の先端又は複数の第４辺部のうちの少なくとも１つの第４辺部の先端が前記入射面部の内端に相当する内端ライン上又は内端ラインよりも内側に位置している。
【０００９】
一実施形態に係る加飾板は、前記導光板と、加飾層と、前記導光板よりも低い屈折率を持つ樹脂層であって、前記導光板と前記加飾層の間に設けられた第１低屈折率層と、前記導光板の一方面に部分的に接し設けられて、前記導光板から進入する光を放散させて加飾板のオモテ面から部分的に光を放出させる光放散層と、を備える。一実施形態に係る加飾成形品は、前記加飾板を含むものである。また、一実施形態に係る加飾モジュールは、前記加飾成形品と、前記入射面部に光を入射する発光素子と、を備えるものである。
【発明の効果】
【００１０】
本実施形態によれば、導光板の第１側面に設けられた入射面部から入射した光は、導光方向である第１方向に垂直な第２方向において広がりつつ、特定の形状を持つ第２側面で導光方向に向けて効率的に光を散乱させることができるので、より広い範囲での発光が可能となる。そのため、少ない発光素子で広い範囲での発光を行うことができ、発光素子の削減やアセンブリ時の作業性を向上することができる。
【図面の簡単な説明】
【００１１】
【図１】第１実施形態に係る加飾板の断面模式図
【図２】同加飾板を用いた加飾モジュールの断面模式図
【図３】実施形態に係る導光板の平面図
【図４】同導光板の要部拡大平面図
【図５】ＬＥＤの出射角度を示す図
【図６】第２辺部及び第３辺部の設定理由を説明するための図
【図７】第４辺部の角度θ４の設定理由を説明するための図
【図８】第４辺部の角度θ４の設定理由を説明するための図
【図９】第２実施形態に係る加飾成形品の断面模式図
【図１０】第３実施形態に係る加飾成形品の断面模式図
【図１１】第４実施形態に係る加飾成形品の断面模式図
【発明を実施するための形態】
【００１２】
以下、図面を参照しながら本発明の実施形態について詳細に説明する。なお、本明細書において、導光板のオモテ面とは、導光板の表裏両面のうち、導光した光を出射する出射面となる面をいい、ウラ面とはオモテ面とは反対側の面をいう。加飾板のオモテ面とは、加飾板の表裏両面のうち、使用時（即ち、加飾成形品として使用する際）に目に見える方の面（意匠を付与する側の面）をいい、ウラ面とはオモテ面とは反対側の面をいう。また、加飾板を構成する各層のオモテ面とは、当該層の表裏両面のうち、加飾板のオモテ面と同じ方向に向いた面をいい、ウラ面とは当該層のオモテ面とは反対側の面をいう。
【００１３】
また、導光板及び加飾板には、シート状やフィルム状のような厚さが薄いものも含まれ（即ち、導光シートや加飾シートと称することもできる。）、また、平板状には限定されず、湾曲面状や蒲鉾形などの立体的な三次元形状を持つものも含まれる。
【００１４】
（第１実施形態）
図１に示すように、第１実施形態に係る加飾板（１）は、導光板（１１）と、第１低屈折率層（１２）と、第２低屈折率層（１３）と、加飾層（１４）と、光放散層（１５）と、保護層（１６）と、ベース層（１７）とを備える。
【００１５】
導光板（１１）は、第１低屈折率層（１２）及び第２低屈折率層（１３）の屈折率よりも高い屈折率ｎ１を持つ光透過性の高屈折率層である。屈折率（絶対屈折率）ｎ１としては、例えば１．４０〜１．７０でもよく、１．５０〜１．６０でもよい。本明細書において、屈折率（絶対屈折率）は、波長５８９ｎｍの光（Ｄ線）の屈折率であり、例えば、アッベ屈折計（株式会社アタゴ製「ＤＲ−Ｍ４」）を用いて環境温度２５℃で測定することができる。
【００１６】
導光板（１１）は、樹脂製でもガラス製でもよい。導光板（１１）としては、樹脂シートを用いてもよく、例えば、ポリカーボネート樹脂（ＰＣ）；  ポリエチレンテレフタレート（ＰＥＴ）などのポリエステル樹脂；  ポリメチルメタクリレート（ＰＭＭＡ）などのアクリル樹脂；  ポリスチレン樹脂、アクリロニトリル−スチレン共重合体樹脂（ＡＳ樹脂）、アクリロニトリル−ブタジエン−スチレン共重合体（ＡＢＳ）などのスチレン系樹脂；  ポリエチレン、ポリプロピレンなどのポリオレフィン樹脂；  又はこれらの２種以上のブレンドからなる各種の熱可塑性樹脂製のシートが挙げられる。導光板（１１）としては、また、鉛ガラスやソーダ石灰ガラスからなるガラス板を用いてもよい。
【００１７】
導光板（１１）は、第１低屈折率層（１２）と第２低屈折率層（１３）の間に挟まれている。すなわち、導光板（１１）のオモテ面及びウラ面には第１及び第２低屈折率層（１２）（１３）が設けられている。これにより、導光板（１１）の側面（１１Ｃ）から入射された光は、導光板（１１）の表裏の界面で全反射して導光板（１１）内に閉じ込められ、側方に伝わっていく。導光板（１１）は、透明又は半透明であることが好ましく、より好ましくは無色透明である。導光板（１１）の厚みは、特に限定されず、例えば、０．１〜２．０ｍｍでもよく、０．２〜１．０ｍｍでもよい。
【００１８】
第１低屈折率層（１２）は、導光板（１１）よりも屈折率が低い光透過性の樹脂層であり、上記屈折率ｎ１よりも低い屈折率ｎ２を持つ（ｎ１＞ｎ２）。屈折率（絶対屈折率）ｎ２としては、例えば１．３５〜１．６５でもよく、１．３５〜１．５０でもよい。また、導光板の屈折率ｎ１との差（ｎ１−ｎ２）は、０．０５以上であることが好ましく、０．１０以上でもよい。この差の上限は、特に限定されず、例えば０．３０以下でもよい。
【００１９】
第１低屈折率層（１２）を形成する樹脂としては、例えば、ポリメチルメタクリレート（ＰＭＭＡ）、ウレタンアクリレート樹脂などのアクリル系樹脂；  ポリスチレン樹脂、アクリロニトリル−スチレン共重合体樹脂（ＡＳ樹脂）、アクリロニトリル−ブタジエン−スチレン共重合体樹脂（ＡＢＳ樹脂）などのスチレン系樹脂；  ポリエチレン、ポリプロピレンなどのポリオレフィン樹脂；  又はこれらの２種以上のブレンドが挙げられる。第１低屈折率層（１２）は、透明又は半透明であり、より好ましくは無色透明である。
【００２０】
第１低屈折率層（１２）は、導光板（１１）と加飾層（１４）との間に設けられる。導光板（１１）と加飾層（１４）との間に第１低屈折率層（１２）を介在させることにより、加飾層（１４）に起因して導光板（１１）から光が放出されることを防ぐことができる。この例では、第１低屈折率層（１２）は、導光板（１１）のオモテ面の全体を覆うように設けられた皮膜であり、導光板（１１）のオモテ面に直接積層されている。第１低屈折率層（１２）の形成方法は、特に限定されず、例えば、スプレー、ディッピング、スピンコート、バーコートなどの公知の塗装方法や、インクジェット印刷、スクリーン印刷などの印刷方法が挙げられる。第１低屈折率層（１２）の厚みとしては、例えば３〜３０μｍでもよく、５〜２０μｍでもよい。
【００２１】
第２低屈折率層（１３）は、導光板（１１）よりも屈折率が低い光透過性の樹脂層であり、上記屈折率ｎ１よりも低い屈折率ｎ３を持つ（ｎ１＞ｎ３）。屈折率（絶対屈折率）ｎ３は、屈折率ｎ２と同一でも異なってもよく、例えば１．３５〜１．６５でもよく、１．３５〜１．５０でもよい。また、屈折率ｎ１と屈折率ｎ３の差（ｎ１−ｎ３）は、０．０５以上であることが好ましく、０．１０以上でもよい。この差の上限は、特に限定されず、例えば０．３０以下でもよい。第２低屈折率層（１３）を形成する樹脂としては、例えば第１低屈折率層（１２）において例示した樹脂を用いることができる。第２低屈折率層（１３）は、透明又は半透明であり、より好ましくは無色透明である。
【００２２】
第２低屈折率層（１３）は、導光板（１１）の表裏のうち第１低屈折率層（１２）が設けられた面とは反対側の面に設けられる層であり、この例では導光板（１１）のウラ面に設けられている。詳細には、導光板（１１）のウラ面に光放散層（１５）が部分的に設けられているため、光放散層（１５）を覆うように、光放散層（１５）を含む導光板（１１）のウラ面全体に第２低屈折率層（１３）の皮膜が積層されている。第２低屈折率層（１３）は、第１低屈折率層（１２）と同様の公知の塗装方法や印刷方法により形成することができる。第２低屈折率層（１３）の厚みとしては、例えば３〜３０μｍでもよく、５〜２０μｍでもよい。
【００２３】
加飾層（１４）は、加飾板（１）のオモテ面（１Ａ）に所望の意匠を表現するための層である。意匠としては、特に限定されず、例えば、木目調、金属調、布目調、幾何学模様などの模様（柄）、絵や写真などの画像、文字、記号、図形などが挙げられ、これらの２種以上の組み合わせでもよい。加飾層（１４）は、加飾板（１）の全面に連続した層として形成してもよく、図１に示すように不連続層として部分的に形成してもよい。
【００２４】
加飾層（１４）は、この例では、導光板（１１）のオモテ面側に第１低屈折率層（１２）を介して設けられており、第１低屈折率層（１２）のオモテ面に直接積層されている。加飾層（１４）は、この例では、光透過性を有しており、光放散層（１５）で放散された光が加飾層（１４）を透過してオモテ面に放射されるように構成されている。加飾層（１４）の厚みとしては、特に限定されず、例えば、その最大厚み部分で２０〜２００μｍでもよく、４０〜１５０μｍでもよい。
【００２５】
加飾層（１４）は、着色剤を含む樹脂からなる層であってもよい。その場合、意匠を形成するため、加飾層（１４）は、インクジェット印刷やスクリーン印刷などのパターニング可能な印刷方法により形成することができる。加飾層（１４）を形成する樹脂としては、例えば第１低屈折率層（１２）において例示した樹脂を用いることができる。着色剤としては、有機顔料や無機顔料などの顔料でもよく、油溶性染料、分散染料、酸性染料、反応性染料、カチオン染料、直接染料などの染料でもよい。
【００２６】
加飾層（１４）は、着色剤を含む樹脂からなる層に限定されるものでない。例えば、突板（木材を薄くスライスしたもの）や和紙のように、模様などの意匠を持つシート材により形成してもよい。これらのシート材は、例として２００μｍのように薄いものであれば、光透過性を有するため、本実施形態における加飾層（１４）として機能する。これらのシート材を用いる場合、例えば、第１低屈折率層（１２）に接着層としての機能も持たせてシート材を貼り付けることで加飾層（１４）を設けてもよく、あるいはまた、第１低屈折率層（１２）と保護層（１６）との間でシート材を挟み込むことで加飾層（１４）を設けてもよい。
【００２７】
光放散層（１５）は、導光板（１１）の一方面に部分的に接し設けられて、導光板（１１）から進入する光を放散させて加飾板（１）のオモテ面（１Ａ）から部分的に光を放出させる層である。導光板（１１）の側面（１１Ｃ）から入射した光は、全反射により導光板（１１）内に閉じ込められて伝わっていくが、その際、光放散層（１５）に入射すると、光が放散され、即ち、様々な角度に放出される。そのため、第１低屈折率層（１２）に対して垂直に近い角度で入射する光が生じる。即ち、臨界角未満で第１低屈折率層（１２）に入射する光が生じ、そのような光は全反射せずに、導光板（１１）のオモテ面から出斜して第１低屈折率層（１２）に進入し、透過するので、加飾板（１）のオモテ面（１Ａ）から放射される。そのため、光放散層（１５）の設置位置において、加飾板（１）のオモテ面（１Ａ）から光を取り出すことができる。
【００２８】
光放散層（１５）は、この例では、導光板（１１）のウラ面に部分的に接し設けられており、当該ウラ面に直接積層されている。光放散層（１５）は、導光板（１１）と第２低屈折率層（１３）の界面に設けられている。
【００２９】
光放散層（１５）は、光を取り出して意匠を浮かび上がらせることが可能な層であるため、そのような意匠を形成するべく、導光板（１１）の一方面における全体ではなく、当該一方面の所定領域に形成される。すなわち、文字、記号、図形、模様、及びこれらの２種以上の組み合わせからなる意匠に対応した位置に設けられる。光放散層（１５）は、例えば、インクジェット印刷やスクリーン印刷などのパターニング可能な印刷方法により形成される。光放散層（１５）の厚みとしては、特に限定されず、例えば、０．５〜２０μｍでもよく、１〜１０μｍでもよい。
【００３０】
光放散層（１５）は、この例では、微粒子を含む樹脂からなり、入射した光を微粒子により散乱させる光散乱層である。樹脂に分散させる微粒子としては、例えば、酸化チタン、炭酸カルシウム、ガラスビーズ、アルミ粉などが挙げられ、これらをいずれか１種又は２種以上組み合わせて用いてもよい。微粒子の粒径は、特に限定されず、例えば、５０％体積粒径（Ｄ５０）が１００〜４０００ｎｍでもよく、２００〜８００ｎｍでもよい。光放散層（１５）を形成する樹脂としては、例えば第１低屈折率層（１２）において例示した樹脂を用いることができる。この樹脂の屈折率は、隣接する導光板（１１）の屈折率よりも低くてもよく、高くてもよい。
【００３１】
保護層（１６）は、加飾板（１）のオモテ面（１Ａ）を保護するために、加飾板（１）の最表面に形成される任意の透明樹脂層である。この例では、保護層（１６）は、加飾層（１４）を覆うように、加飾層（１４）を含む第１低屈折率層（１２）のオモテ面全体に形成されている。保護層（１６）は、第１低屈折率層（１２）と同様の公知の塗装方法や印刷方法により形成することができる。保護層（１６）の厚みは、特に限定されず、例えば、５０〜１０００μｍでもよく、１００〜５００μｍでもよい。
【００３２】
保護層（１６）は、透明な樹脂からなる光透過層であり、無色透明であることが好ましいが、着色透明でもよい。保護層（１６）を形成する樹脂としては、例えば、ポリエステル樹脂、ポリウレタン樹脂、アクリル樹脂、シリコーン樹脂、エポキシ樹脂、アルキド樹脂、アミノアルキド樹脂などが挙げられ、これらはそれぞれ単独で用いても２種以上ブレンドして用いてもよい。保護層（１６）の屈折率は、隣接する第１低屈折率層（１２）の屈折率よりも低くてもよく、高くてもよく、特に限定されない。
【００３３】
ベース層（１７）は、加飾板（１）のウラ面（１Ｂ）側に設けられる任意の樹脂層であり、加飾層（１４）による意匠を補う着色を付与したり、あるいはまた後述する樹脂成形体（２１）との接着性を高めたりするために設けられる。この例では、ベース層（１７）は、第２低屈折率層（１３）のウラ面全体に形成されている。ベース層（１７）は、第１低屈折率層（１２）と同様の公知の塗装方法や印刷方法により形成することができる。ベース層（１７）の厚みは、例えば、０．１〜３００μｍでもよく、５〜８０μｍでもよい。ベース層（１７）を形成する樹脂としては、例えば保護層（１６）において例示した樹脂を用いることができる。また、着色するために、有機顔料や無機顔料などの顔料、染料などの着色剤を配合してもよい。
【００３４】
図２に示すように、第１実施形態に係る加飾成形品（２）は、加飾板（１）と、該加飾板（１）のウラ面（１Ｂ）側に積層一体化された樹脂成形体（２１）とを備えてなる。樹脂成形体（２１）は、導光板（１１）のウラ面側に少なくとも第２低屈折率層（１３）を介して設けられており、この例では、導光板（１１）のウラ面側に、光放散層（１５）と第２低屈折率層（１３）とベース層（１７）を介して、該ベース層（１７）のウラ面に積層一体化されている。
【００３５】
樹脂成形体（２１）を形成する樹脂としては、例えば、ポリスチレン（ＰＳ）、アクリロニトリル−ブタジエン−スチレン（ＡＢＳ）などのスチレン系樹脂、ポリエチレン（ＰＥ）、ポリプロピレン（ＰＰ）などのオレフィン系樹脂、ポリカーボネート系樹脂（ＰＣ）、アクリル系樹脂などの各種合成樹脂が挙げられ、これらはそれぞれ単独で用いても２種以上ブレンドして用いてもよい。着色するために、有機顔料や無機顔料などの顔料、染料などの着色剤を配合してもよい。
【００３６】
加飾成形品（２）は、公知のインサート成形方法を用いて製造することができる。例えば、加飾板（１）を真空成形加工または圧空成形加工にてあらかじめ三次元形状に予備成形し、その後、予備成形した加飾板（１）を成形型内に配置し、溶融した合成樹脂をキャビティ内に射出して樹脂成形体（２１）を射出成形することにより、加飾成形品（２）を得てもよい。
【００３７】
第１実施形態に係る加飾モジュール（３）は、加飾成形品（２）と、その導光板（１１）の側面（１１Ｃ）に光を入射可能な発光素子である発光ダイオード（以下、ＬＥＤという）（３１）とを備えてなる。なお、加飾モジュール（３）は、図示しないが、ＬＥＤ（３１）への配線、電源及び制御装置などの電機部品の他、フレームなどの他の部品を含んで構成されてもよい。
【００３８】
次に、導光板（１１）の形状について説明する。この例では、導光板（１１）は、平面視で加飾板（１）と同じ形状を持つ。図３に示すように、導光板（１１）は、平面視で概略矩形状をなす部材であり、長手方向（Ｘ）の一端部（１１Ａ）から入射した光を長手方向（Ｘ）の他端部（１１Ｂ）に向けて導光するように構成されている。
【００３９】
導光板（１１）は、そのオモテ面に垂直な側面（１１Ｃ）として、長手方向（Ｘ）に垂直な幅方向（Ｙ）において対向する一対の第１側面（１１Ｄ）（１１Ｄ）と、一端部（１Ａ）において一対の第１側面（１１Ｄ）（１１Ｄ）の間を連結する第２側面（１１Ｅ）と、を備える。一対の第１側面（１１Ｄ）（１１Ｄ）における第２側面（１１Ｅ）側の端部には、ＬＥＤ（３１）からの光が入射する入射面部（３２）が設けられている。一対の第１側面（１１Ｄ）（１１Ｄ）は互いに平行であり、各第１側面（１１Ｄ）の長手方向（Ｘ）における一端に入射面部（３２）が設けられている。ＬＥＤ（３１）は、その出射面を第１側面（１１Ｄ）の入射面部（３２）に重ね合わせるように配置されており（即ち、入射面部（３２）はＬＥＤ（３１）の出射面に一致）、入射面部（３２）から幅方向（Ｙ）に光が入射される。
【００４０】
本実施形態では、幅方向（Ｙ）に入射された光を導光方向である長手方向（Ｘ）に効率的に導光するために、第２側面（１１Ｅ）の形状に特徴がある。第２側面（１１Ｅ）は、ＬＥＤ（３１）の外端よりも外側にはみ出す部分と、ＬＥＤ（３１）から直進する光を全反射する部分とを有する。ここで、直進する光とは、ＬＥＤ（３１）の出射面に垂直な方向に出射される光であり、この例では導光板（１１）の幅方向（Ｙ）に平行に進む光である。
【００４１】
詳細には、図４に示すように、第２側面（１１Ｅ）は、第１側面（１１Ｄ）側の端部から順に、第１辺部（１１Ｅ１）と、第２辺部（１１Ｅ２）と、第３辺部（１１Ｅ３）と、複数の第４辺部（１１Ｅ４）とを備える。第１辺部（１１Ｅ１）、第２辺部（１１Ｅ２）及び第３辺部（１１Ｅ３）が上記の外側にはみ出す部分であり、第４辺部（１１Ｅ４）が上記の全反射する部分である。第１辺部（１１Ｅ１）と第２辺部（１１Ｅ２）と第３辺部（１１Ｅ３）は、この順番で、入射面部（３２）の外端（３２Ａ）から連接して設けられている。
【００４２】
第１辺部（１１Ｅ１）は、入射面部（３２）の外端（３２Ａ）に相当する外端ライン（Ｌ１）よりも外側にはみ出す部分であり、入射面部（３２）を外側に延長した入射面ライン（Ｌ２）に対する角度θ１が０°＜θ１＜９０°を満たす。θ１が９０°よりも小さいことで、外端ライン（Ｌ１）よりも外側にはみ出す部分が設けられる。そして、このようにはみ出す部分を設けることにより、ＬＥＤ（３１）から外向きに傾斜を持って出射される光を導光板（１１）内に取り込むことができる。
【００４３】
ここで、入射面部の外端（３２Ａ）とは、入射面部（３２）のうち、導光板（１１）の長手方向（Ｘ）中央から最も離れた位置であり、図４における入射面部（３２）の右端である。また、外端ライン（Ｌ１）とは、外端（３２Ａ）を通る幅方向（Ｙ）に平行な線である。また、入射面ライン（Ｌ２）とは、入射面部（３２）を長手方向外側（図４における右側）に延長した線である。また、角度θ１は、第１辺部（１１Ｅ１）が入射面ライン（Ｌ２）を基準として反時計回りになす角度である（後述する角度θ２，θ３，θ４についても同じ）。
【００４４】
第１辺部（１１Ｅ１）の角度θ１は、ＬＥＤ（３１）から出射される光のうち、利用したいと考える光の出射角度に設定することができる。図５に示すように、ＬＥＤ（３１）の出射面（３１Ａ）からは様々な角度で光が出射される。一実施形態として、角度θ１は、ＬＥＤ（３１）の半減角θＨ以上に設定されることが好ましい。ここで、半減角θＨとは、ＬＥＤ（３１）から出射される光の強度が、出射面（３１Ａ）の正面での強度に対して半分になるときの角度であり、本明細書では入射面ライン（Ｌ２）に対する角度、即ち入射面ライン（Ｌ２）を基準とした反時計回りの角度である。
【００４５】
第２辺部（１１Ｅ２）は、入射面ライン（Ｌ２）に対する角度θ２がθ１＜θ２≦９０°を満たす部分である。角度θ１よりも大きい角度θ２を持つ第２辺部（１１Ｅ２）を設けたことにより、図６に示すような、第１辺部（１１Ｅ１）で全反射された光（ａ１）や、第１辺部（１１Ｅ１）に入射されずに第２辺部（１１Ｅ２）に入射される光（ａ２）の利用が可能になる。また、その角度θ２を９０°以下に設定することにより、第２辺部（１１Ｅ２）で全反射とならない光成分の割合を小さくして、光の利用効率を上げることができる。一実施形態として、角度θ２は、角度θ１に対して５°以上大きく設定されてもよい（即ち、θ２≧θ１＋５°）。
【００４６】
第３辺部（１１Ｅ３）は、導光板（１１）の内部から外部に進む光の臨界角をθＣとして、入射面ライン（Ｌ２）に対する角度θ３が９０°＜θ３≦１８０°−θＣを満たす部分である。より好ましくは、９０°＋θＣ／２≦θ３≦１８０°−θＣを満たすことである。図４に示すように、第３辺部（１１Ｅ３）の先端（１１Ｅ３１）は、上記外端ライン（Ｌ１）上又は外端ライン（Ｌ１）よりも内側（即ち、長手方向（Ｘ）の中央部寄り）に位置している。第３辺部の先端（１１Ｅ３１）は、外端ライン（Ｌ１）を越える場合でも、外端ライン（Ｌ１）の近傍に位置することが好ましく、例えば、外端ライン（Ｌ１）から入射面部（３２）の長さ（Ｄ１）の１／３までの範囲内に設定することが好ましい。なお、臨界角θＣは、特に限定しないが、通常は６０°以下である。
【００４７】
第４辺部（１１Ｅ４）は、ＬＥＤ（３１）から直進する光を全反射させる部分であり、入射面ライン（Ｌ２）に対する角度θ４が９０°＜θ４≦１８０°−θＣを満たす。より好ましくは、９０°＋θＣ／２≦θ４≦１８０°−θＣを満たすことである。第４辺部（１１Ｅ４）は、この例では複数（詳細には３つ）設けられており、第３辺部（１１Ｅ３）から段状に設けられている。詳細には、第３辺部（１１Ｅ３）と複数の第４辺部（１１Ｅ４）との隣接する各辺の間には段差となる連結辺部（１１Ｅ５）が設けられ、これにより、この部分の第２側面（１１Ｅ）は階段状（即ち、ジグザグ形状）に形成されている。連結辺部（１１Ｅ５）の入射面ライン（Ｌ２）に対する角度は、例えば０°以上９０°以下に設定してもよい。
【００４８】
複数の第４辺部（１１Ｅ４）のうち、最もＬＥＤ（３１）から遠い第４辺部の先端（１１Ｅ４１）は、入射面部（３２）の内端（３２Ｂ）に相当する内端ライン（Ｌ３）上又は内端ライン（Ｌ３）よりも内側に位置している。ここで、入射面部の内端（３２Ｂ）とは、入射面部（３２）のうち、導光板（１１）の長手方向（Ｘ）中央に最も近い位置であり、図４における入射面部（３２）の左端である。また、内端ライン（Ｌ３）とは、内端（３２Ｂ）を通る幅方向（Ｙ）に平行な線である。
【００４９】
角度θ４の設定理由について説明する。ＬＥＤ（３１）から直進する光がちょうど臨界角θＣで入射するときの第４辺部（１１Ｅ４）の角度θ４を考えると、図７に示すように、θ４＝１８０°−θＣとなる。角度θ４がこれよりも大きいと（つまり、第４辺部（１１Ｅ４）が左側へより傾くと）、ＬＥＤ（３１）から直進してきた光が臨界角θＣよりも小さな角度で入射することとなり、全反射しなくなる。そのため、角度θ４の最大値は１８０°−θＣであり、全反射のみを考慮すれば、角度θ４は、１８０°−θＣ以下であり、かつ９０°を超えていればよい。
【００５０】
より効率よく光を利用するためには、第４辺部（１１Ｅ４）で一回反射した後、入射面部（３２）が設けられた第１側面（１１Ｄ）に対向する第１側面（１１Ｄ）に入射する光が臨界角θＣ以上で入射するように設定することが好ましい。すなわち、図８に示すように、対向する第１側面（１１Ｄ）において臨界角θＣ以上で入射するためには、θ４の最小値が９０°＋θＣ／２であればよい。
【００５１】
角度θ３については、図６に示すように、ＬＥＤ（３１）より、第１辺部(１１Ｅ１)や第２辺部（１１Ｅ２）に入射せずかつ直進する光以外の光（ａ３）、及び、第１辺部(１１Ｅ１)や第２辺部（１１Ｅ２）で全反射された光（ａ１）（ａ２）の一部が入射する。第１辺部(１１Ｅ１)や第２辺部（１１Ｅ２）に当たらない光（ａ３）は、角度がθ1より大きいので、全反射を起こす為にはθ４と同じ設定角度範囲である必要がある。第３辺部（１１Ｅ３）に入射する光は、第４辺部（１１Ｅ４）に入射する光よりも、入射角の範囲が広いので、光の利用効率を高めるためには、θ３≦θ４であることが好ましい。
【００５２】
なお、図４では、一対の第１側面（１１Ｄ）（１１Ｄ）のうちの一方側の入射面部（３２）から連なる第２側面（１１Ｅ）の略半分の形状について説明したが、対向するもう一方の入射面部（３２）から連なる部分の形状についても、同様の構成を持つ第１辺部（１１Ｅ１）、第２辺部（１１Ｅ２）、第３辺部（１１Ｅ３）及び第４辺部（１１Ｅ４）を備えた形状に設定することができる。
【００５３】
以上よりなる第１実施形態であると、導光板（１１）の側面（１１Ｃ）から光が入射すると、光は全反射により導光板（１１）内に閉じ込められて導光板（１１）内に広がっていく。その際、光放散層（１５）に入射すると、そこで光が散乱して、第１低屈折率層（１２）に対して垂直に近い角度で入射する光が生じ、その光は全反射せずに第１低屈折率層（１２）に進入し、透過するので、加飾板（１）のオモテ面（１Ａ）から放射される。光は、光放散層（１５）の設置位置において、加飾板（１）のオモテ面（１Ａ）から放出され、当該放出位置が発光部（３５）となる（図２参照）。そのため、該発光部３５により、光放散層（１５）の設置位置に応じた文字や記号、図形、模様などの意匠を浮かび上がらせることができる。よって、加飾層（１４）による意匠効果だけでなく、発光部（３５）により暗がりでの意匠効果を付与することができ、加飾層（１４）と相俟って、高い意匠性を表現することができる。
【００５４】
第１実施形態であると、導光板（１１）のオモテ面側に加飾層（１４）を設けたので、より明瞭な意匠を表現することができる。また、光散乱層（１５）を導光板（１１）のウラ面側に設けたので、光放散層が目立ちにくく、よって非発光時の意匠に影響を与えない。
【００５５】
また、第１実施形態であると、第２側面（１１Ｅ）の形状を上記のように設定したことにより、ＬＥＤ（３１）から導光板（１１）に入射された光は、幅方向（Ｙ）に向かって広がりつつ、上記特定の形状を持つ第２側面（１１Ｅ）により導光方向である長手方向（Ｘ）に向けて効率的に光を散乱させることができ、よって、幅方向（Ｙ）での広がりを持たせつつ、長手方向（Ｘ）での導光距離も稼ぐことができる。そのため、少ないＬＥＤ（３１）を用いたものでありながら、導光板（１１）の全面での発光を可能にすることができ、ＬＥＤ（３１）の削減やアセンブリ時の作業性を向上することができる。
【００５６】
なお、第３辺部（１１Ｅ３）と複数の第４辺部（１１Ｅ４）の角度θ３，θ４は、互いに同一でもよく、上記の範囲内で互いに異なる値としてもよい。例えば、導光板（１１）が比較的広幅である場合、より均一に導光するという意味では、複数のθ４の値を互いに異なる角度とした方がよく、角度θ４の並びも規則的ではない方が好ましい。また、第４辺部（１１Ｅ４）の数（段数）も大きい方が好ましい。一方、導光板（１１）が比較的幅狭で細長い場合、長手方向によりよく導光させるという意味で、θ４＝１３５°±２０°とし、第３辺部（１１Ｅ３）と複数の第４辺部（１１Ｅ４）の角度θ３，θ４は一定であることが好ましい。あるいはまた、ＬＥＤ（３１）から遠ざかるにつれて角度が大きくなること、即ち、θ３＜θ４であり、複数の第４辺部（１１Ｅ４）の角度θ４がＬＥＤ（３１）から遠ざかるほど大きくなることが好ましい。
【００５７】
（第２実施形態）
図９に示すように、第２実施形態に係る加飾樹脂成形品（２０Ａ）の加飾板（１０Ａ）は、光放散層（１５）が導光板（１１）と第１低屈折率層（１２）の界面に設けられた点で、第１実施形態に係る加飾板（１）と異なる。すなわち、第２実施形態では、導光板（１１）のオモテ面側に第１低屈折率層（１２）を介して加飾層（１４）が設けられるとともに、光放散層（１５）が導光板（１１）と第１低屈折率層（１２）との界面に設けられている。
【００５８】
詳細には、導光板（１１）のオモテ面に光放散層（１５）が部分的に接し設けられ、その上に第１低屈折率層（１２）が光放散層（１５）を含む導光板（１１）の全体を覆うように積層されている。そして、第１低屈折率層（１２）のオモテ面に加飾層（１４）が設けられ、更にその上に保護層（１６）が加飾層（１４）を含む第１低屈折率層（１２）の全体を覆うように積層されている。一方、導光板（１１）のウラ面側には第２低屈折率層（１３）が全体にわたって積層されている。なお、この例ではベース層は設けていない。
【００５９】
第２実施形態に係る加飾成形品（２０Ａ）は、加飾板（１０Ａ）と、そのウラ面側に積層一体化された樹脂成形体（２１）とを備えてなる。この例では、樹脂成形体（２１）は、導光板（１１）のウラ面側に、第２低屈折率層（１３）を介して積層一体化されている。
【００６０】
第２実施形態であると、導光板（１１）のオモテ面側に加飾層（１４）を設けたので、より明瞭な意匠を表現することができる。また、光放散層（１５）を導光板（１１）のオモテ側に設けたので、第１実施形態よりも明るくくっきりとした発光にすることができる。第２実施形態について、その他の構成及び作用効果は第１実施形態と同様であり、説明は省略する。
【００６１】
（第３実施形態）
図１０に示すように、第３実施形態に係る加飾樹脂成形品（２０Ｂ）の加飾板（１０Ｂ）は、加飾層（１４）が導光板（１１）のウラ面側に設けられた点で、第１実施形態に係る加飾板（１）と異なる。第３実施形態では、導光板（１１）のウラ面側に第１低屈折率層（１２）を介して加飾層（１４）が設けられるとともに、光放散層（１５）が導光板（１１）のオモテ面に部分的に接し設けられている。
【００６２】
詳細には、導光板（１１）のオモテ面に光放散層（１５）が部分的に接し設けられ、その上に保護層（１６）が光放散層（１５）を含む導光板（１１）の全体を覆うように積層されている。一方、導光板（１１）のウラ面には、上記屈折率ｎ２を持つ第１低屈折率層（１２）が全体にわたって積層されており、第１低屈折率層（１２）のウラ面に加飾層（１４）が設けられている。
【００６３】
第３実施形態に係る加飾成形品（２０Ｂ）は、加飾板（１０Ｂ）と、そのウラ面側に積層一体化された樹脂成形体（２１）とを備えてなる。この例では、樹脂成形体（２１）は、導光板（１１）のウラ面側に、第１低屈折率層（１２）と加飾層（１４）を介して積層一体化されている。
【００６４】
第３実施形態であると、導光板（１１）の側面（１１Ｃ）から光が入射すると、光は全反射により導光板（１１）内を広がっていく。ここで、保護層（１６）の屈折率が導光板（１１）よりも屈折率が小さい場合、保護層（１６）が低屈折率樹脂層として機能する。また、仮に保護層（１６）の屈折率が導光板（１１）よりも屈折率が高いとしても、保護層（１６）は低屈折率の空気層に面しているため、導光板（１１）は保護層（１６）とともに導光層として機能する。その際、光が光放散層（１５）に入射すると、そこで散乱するので、加飾板（１０Ｂ）のオモテ面（１Ａ）から放射される。そのため、第１実施形態と同様に、光放散層（１５）の設置位置が発光部（３５）となって意匠性を向上することができる。
【００６５】
また、第３実施形態であると、導光板（１１）のウラ面側に加飾層（１４）を設けたので、奥行き感のある意匠を表現することができる。また、光放散層（１５）を導光板（１１）のオモテ側に設けたので、光が浮き上がるような効果をもたせることができる。第３実施形態について、その他の構成及び作用効果は第１実施形態と同様であり、説明は省略する。
【００６６】
（第４実施形態）
図１１に示すように、第４実施形態に係る加飾樹脂成形品（２０Ｃ）の加飾板（１０Ｃ）は、光放散層（１５）が導光板（１１）と第１低屈折率層（１２）の界面に設けられた点で、第３実施形態に係る加飾板（１０Ｂ）と異なる。すなわち、第４実施形態では、導光板（１１）のウラ面側に第１低屈折率層（１２）を介して加飾層（１４）が設けられるとともに、光放散層（１５）が導光板（１１）と第１低屈折率層（１２）の界面に設けられている。また、第４実施形態では、第２低屈折率層（１３）が、導光板（１１）のオモテ面に設けられている。
【００６７】
詳細には、導光板（１１）のウラ面に光放散層（１５）が部分的に接し設けられ、該光放散層（１５）を覆うように、光放散層（１５）を含む導光板（１１）のウラ面全体に、上記屈折率ｎ２を持つ第１低屈折率層（１２）の皮膜が形成されている。そして、第１低屈折率層（１２）のウラ面に加飾層（１４）が設けられ、加飾層（１４）を覆うように、加飾層（１４）を含む第１低屈折率層（１２）のウラ面全体にベース層（１７）が積層されている。一方、導光板（１１）のオモテ面には、上記屈折率ｎ３を持つ第２低屈折率層（１３）が全体にわたって積層されており、保護層は設けられていない。
【００６８】
第４実施形態に係る加飾成形品（２０Ｃ）は、加飾板（１０Ｃ）と、そのウラ面側に積層一体化された樹脂成形体（２１）とを備えてなる。この例では、樹脂成形体（２１）は、導光板（１１）のウラ面側に、光放散層（１５）と第１低屈折率層（１２）と加飾層（１４）とベース層（１７）を介して、ベース層（１７）のウラ面に積層一体化されている。
【００６９】
第４実施形態であると、導光板（１１）の側面（１１Ｃ）から光が入射すると、光は全反射により導光板（１１）内を広がっていき、光が光放散層（１５）に入射すると、そこで散乱するので、その一部は導光板（１１）と第２低屈折率層（１３）を透過して、加飾板（１０Ｃ）のオモテ面（１Ａ）から放射される。そのため、第３実施形態と同様に、光放散層（１５）の設置位置が発光部（３５）となり、意匠性を向上することができる。
【００７０】
また、第４実施形態であると、導光板（１１）のウラ面側に加飾層（１４）を設けたので、奥行き感のある意匠を表現することができる。また、光放散層（１５）を導光板（１１）のウラ側に設けたので、最表面が平坦な面となり光沢感を出すことができる。第４実施形態について、その他の構成及び作用効果は第３実施形態と同様であり、説明は省略する。
【００７１】
（その他の実施形態）
以上の実施形態において、光放散層（１５）としては微粒子を分散させた樹脂からなる光散乱層としたが、光放散層（１５）は蛍光体を含む蛍光層としてもよい。ここでいう蛍光には、発光寿命の短い狭義の蛍光だけでなく、発光寿命の長い燐光ないし蓄光などの広義の蛍光も含まれる。蛍光層は、蛍光染料などの蛍光体を含む樹脂からなる層であり、光を受けて様々な角度に向けて発光するため、光放散層（１５）として機能する。
【００７２】
樹脂成形体（２１）は、導光板（１１）のウラ面側に、少なくとも第１低屈折率層（１２）又は第２低屈折率層（１３）を介して設けることができる。なお、上記実施形態では、加飾板のウラ面側に樹脂成形体（２１）を積層一体化したが、三次元形状に成形した加飾板（１０Ａ）（１０Ｂ）及び（１０Ｃ）のみで、加飾成形品を構成してもよい。また、例えば、図１に示す加飾板（１０Ａ）単体で加飾成形品を構成する場合、第２低屈折率層（１３）は必須ではなく、ベース層（１７）とともに省略してもよい。
【００７３】
図１０に示す第３実施形態において、光放散層（１５）を覆うように、光放散層（１５）を含む導光板（１１）のオモテ面全体に、第２低屈折率層（１３）を設けてもよい。また、図１１に示す第４実施形態において、第２低屈折率層（１３）は省略してもよく、導光板（１１）が加飾板（１０Ｃ）のオモテ面（１Ａ）を構成するようにしてもよい。
【００７４】
上記実施形態では、概略矩形状をなす導光板（１１）において、その長手方向（Ｘ）を導光方向として、幅方向（Ｙ）において対向する一対の第１側面（１１Ｄ）から、ＬＥＤ（３１）の光が入射されるように設定したが、寸法の短い幅方向を導光方向として、長手方向に対向する一対の第１側面から、ＬＥＤの光が入射されるように設定してもよい。その場合、導光板は、幅方向の一端部から入射した光を幅方向の他端部に向けて導光する。
【００７５】
また、導光板（１１）の形状は矩形状に限定されるものではなく、三角形状や曲線状の辺を持つ形状でもよく、導光方向を第１方向として、これに垂直な第２方向において対向する一対の側面を有する種々の形状のものを用いることができる。該一対の側面は、上記実施形態のように互い平行であることが好ましいが、必ずしも互いに平行でなくてもよい。なお、第１方向及び第２方向は、導光板の面内において互いに直交する二方向である。
【００７６】
上記実施形態では、導光板（１１）の幅方向（Ｙ）に対向する一対の第１側面（１１Ｄ）（１１Ｄ）の双方に、ＬＥＤ（３１）からの光が入射する入射面部（３２）を設けたが、いずれか一方のみに設けてもよく、即ち、ＬＥＤ（３１）は１つのみで構成してもよい。
【００７７】
上記実施形態では、第２側面（１１Ｅ）の複数の第４辺部（１１Ｅ４）のうちの１つの先端（１１Ｅ４１）が入射面部（３２）の内端ライン（Ｌ３）上又は内端ライン（Ｌ３）よりも内側に位置するように設定したが、２つ又はそれ以上の第４辺部（１１Ｅ４）の各先端が内端ライン（Ｌ３）上又は内端ライン（Ｌ３）よりも内側に位置するように設定してもよい。また、上記実施形態では、第４辺部（１１Ｅ４）を複数設けたが、第４辺部（１１Ｅ４）は１つだけでもよく、その場合、当該１つの第４辺部（１１Ｅ４）の先端が内端ライン（Ｌ３）上又は内端ライン（Ｌ３）よりも内側に位置していればよい。
【００７８】
上記実施形態では、導光板（１１）として加飾板（１）（１０Ａ）（１０Ｂ）（１０Ｃ）に組み込まれるものを例に挙げて説明したが、長手方向などの第１方向の一端部から入射した光を第１方向の他端部に向けて導光するものであれば、これに限定されるものではない。例えば、液晶表示装置に組み込まれる面状ライトユニットなどのように、一端部から入射した光を他端部に向けて導光しながらオモテ面から出射する種々の用途の導光板として用いることができる。
【実施例】
【００７９】
［導光板の端面形状の検討］
導光板として、ポリカーボネート樹脂シート（住化アクリル販売株式会社製、テクノロイＣ０００、屈折率１．５８５、全光線透過率９０％、シートの厚さ０．４ｍｍ）を用いて、５００ｍｍ×１３５ｍｍの長方形状に切り出し、その際、図３及び図４に示すように、入射面部（３２）を備える一対の第１側面（１１Ｄ）と、第１辺部（１１Ｅ１）、第２辺部（１１Ｅ２）、第３辺部（１１Ｅ３）及び３つの第４辺部（１１Ｅ４）を備える第２側面（１１Ｅ）を設けた。角度θ１は６１．５°、角度θ２は７６．５°、角度θ３は１２１．５°、角度θ４はＬＥＤに近い側から順に１２４．５°、１２４．５°、１２４．５°とした（ここで、半減角θＨ＝３０°、臨界角θＣ＝３８．９°）。また、これらの第１辺部、第２辺部、第３辺部及び第４辺部を設けずに、第２側面を直線状としたコントロールの導光板も作製した。
【００８０】
得られた導光板を用いて入射面部からＬＥＤにより光を入射し、導光板のオモテ面において１ｃｄ／ｃｍ２以上の輝度を持つ範囲を導光距離として測定したところ、コントロールの導光板に対して、実施例の導光板では、導光距離が約１．６倍であった。
【００８１】
［実施例１］
・光放散層用インクの作製：
下記表１の（Ａ）に示す配合に従い、各成分をミキサーにて混合することにより顔料母液を作製した。次いで、得られた顔料母液を用いて、表１の（Ｂ）に示す配合に従い、各成分をミキサーにて混合することにより、光放散層用インクを作製した。
【００８２】
【表１】
2018129123.tif 000003
【００８３】
・光放散層の形成：
導光板としてポリカーボネート樹脂シート（住化アクリル販売株式会社製、テクノロイＣ０００、短辺の長さ２７０ｍｍ、長辺の長さ５３０ｍｍ）を用い、該樹脂シートの一方の面に、シリアル型インクジェットプリンターを用いて、上記作製したインクを付与した後、直ちに紫外線ランプを用いて紫外線を照射し、インクを硬化させて光放散層を形成した。光放散層の厚みは６μｍであった。光放散層を形成する樹脂の屈折率は１．４５９であった。
【００８４】
印刷条件は、ヘッド加熱温度：４０℃、ノズル径：２０μｍ、印加電圧：２０Ｖ、パルス幅：１５μｓ、駆動周波数：１．２ｋＨｚ、解像度：３００ｄｐｉ、インク付与量：０．５ｇ／ｍ２とし、付与パターンは貫入柄とした。また、紫外線照射条件は、ランプ種類：メタルハライドランプ、ランプの出力：１００Ｗ／ｃｍ、照射時間：０．５秒、照射回数：４回、照射距離：２０ｍｍとした。このとき３６５ｎｍにおけるＵＶ照射のピーク照度は、４６０ｍＷ／ｃｍ２、積算光量は８００ｍＪ／ｃｍ２であった。
【００８５】
・低屈折率層用インクの作製：
下記表２に示す配合に従い、各成分をミキサーにて混合することにより低屈折率層用インクを作製した。
【００８６】
【表２】
2018129123.tif 000004
【００８７】
・第１及び第２低屈折率層の形成：
光放散層を形成したポリカーボネート樹脂シートの表裏両面に、シリアル型インクジェットプリンターを用いて、上記作製した低屈折率層用インクを付与した後、直ちに紫外線ランプを用いて紫外線を照射し、インクを硬化させて第１及び第２低屈折率層を形成した。条件は、印刷条件において、インク付与量を３ｇ／ｍ２とし、付与パターンをベタパターン（全面付与）とした以外は、光放散層の形成時の印刷条件及び紫外線照射条件と同じである。形成された第１及び第２低屈折率層の屈折率は１．４８３であった。また、厚みは、オモテ面側とウラ面側の低屈折率層ともに１５μｍであった。
【００８８】
・加飾層用インクの作製：
下記表３の（Ａ）に示す配合に従い、各成分をミキサーにて混合することにより顔料母液を作製した。次いで、得られた顔料母液を用いて、表３の（Ｂ）に示す配合に従い、各成分をミキサーにて混合することにより、加飾層用インクを作製した。
【００８９】
【表３】
2018129123.tif 000005
【００９０】
・加飾層の形成：
光放散層と第１及び第２低屈折率層を形成したシートの、光放散層と逆側の面に対して上記にて作製した加飾層インクをシリアル型インクジェットプリンターで印刷し木目柄を付与した後、紫外線ランプを用いて紫外線を照射し、インクを硬化させて加飾層を形成した。加飾層の厚みは、最大厚み部分の厚み（凸部の高さ）で５０μｍであった。
【００９１】
印刷条件は、ヘッド加熱温度：５７℃、ノズル径：７０μｍ、印加電圧：５０Ｖ、パルス幅：１５μｓ、駆動周波数：４．５ｋＨｚ、解像度：７２０ｄｐｉとし、図柄は木目柄とした。また、紫外線照射条件は、ランプ種類：メタルハライドランプ、ランプの出力：１２０Ｗ／ｃｍ、照射時間：１秒、照射回数：２０回、照射距離：５ｍｍとした。このときの積算光量は、２２５ｍＪ／ｃｍ２であった。
【００９２】
・ベース層用インクの作製：
下記表４に示す配合に従い、各成分をミキサーにて混合することによりベース層用インクを作製した。
【００９３】
【表４】
2018129123.tif 000006
【００９４】
・ベース層の形成：
光放散層、第１及び第２低屈折率層、及び加飾層を形成したシートの、光放散層を付与した側の面の全面に第２低屈折率層の上からスクリーン印刷によって上記作製したベース層用インクを付与した。その後、熱乾燥を行い、インクを硬化させてベース層を形成した。印刷条件は、メッシュ数：２００、線形：４８μｍ、紗厚：６４μｍ、バイアス：２２．５°、スキージ角度：４５°、スキージ速度：５０ｍｍ／ｓ、印刷面積：５００ｍｍ×２５０ｍｍとし、乾燥条件は、オーブンによる熱乾燥により、乾燥温度：８０℃、乾燥時間：１５分とした。最終的に乾燥膜厚が６０μｍとなるように、上記の印刷と乾燥を３回繰り返し、ベース層を形成した。
【００９５】
・保護層用塗料の作製：
下記表５に示す配合に従い、各成分をミキサーにて混合することにより保護層用塗料を作製した。
【表５】
2018129123.tif 000007
【００９６】
・保護層の形成：
ベース層形成後のシートの加飾層側の面に対して、上記作製した保護装用塗料を、バーコーター（ＲＫ  Ｐｒｉｎｔ  Ｃｏａｔ  Ｉｎｓｔｒｕｍｅｎｔｓ  Ｌｔｄ製、商品名「Ｋ  Ｃｏｎｔｒｏｌ  Ｃｏａｔｅｒ」）にて、膜厚が１００μｍとなるように全面に塗工し、さらに、紫外線ランプを用いて紫外線を照射し、塗料を硬化させて保護層を形成した。塗工条件は、バーのワイヤー径１．２７ｍｍでワイヤー間の隙間無し、塗工速度３．５ｍ／ｍｉｎとした。紫外線照射条件は光放散層の形成時の条件と同じである。形成された保護層の屈折率は１．４８４であった。
【００９７】
・型抜き：
保護層を形成したシートを、射出成形型にセットするために必要な部分と不必要な部分とを分ける型抜きを行った。すなわち、トムソン刃でできた型枠をシートの保護層側にあてがい、プレス機（株式会社イイノ製、商品名「ＩＯＣ−２０」）を用いて、型抜きを行った。型抜き形状は、４５０ｍｍ×１００ｍｍの長方形状とし、第２側面（１１Ｅ２）の形状は、上記「導光板の端面形状の検討」の実施例と同じ形状とした。
【００９８】
・予備成形：
型抜きしたシートをプレス機（高木機工株式会社製、商品名「ＤＥＦ−Ｈ５００」）を用いて賦形を行った。すなわち、あらかじめ１１０℃で予備加熱したシートをプレス機にセットし、１００℃で加熱しながら型を押し当てることで加圧した。賦形形状はカマボコ型とした。
【００９９】
・インサート成形：
予備成形したシートを、射出成形機（宇部興産機械株式会社製、商品名「ＭＤ４５０Ｓ−ＩＶ」）を用いて、インサート成形により、樹脂成形体と一体化した。すなわち、シートを、保護層側がキャビティ面に向く状態で射出成形型にセットし、以下に記す条件にて合成樹脂をキャビティ内に射出した後、冷却し、硬化した。成形条件は、合成樹脂としてＰＣ／ＡＢＳ樹脂（日本エイアンドエル株式会社製、商品名「ＰＡＸ−１４３９」）を用い、スクリュー内温度：２６０℃、コア温度：４０℃、キャビティ温度：４０℃、射出時の圧力：２００ＭＰａとした。
【０１００】
・加飾成形品：
以上により、図２に示される第１実施形態に係る加飾成形品を得た。得られた加飾成形品の端面から光を入射するために、シート端面が成形樹脂で覆われている状態の加飾成形品の長辺部をＮＣ加工機にてよって切削することで、第１側面（１１Ｄ）を剥き出しにし、その入射面部（３２）にＬＥＤ（３１）を設置した。
【０１０１】
ＬＥＤを点灯した結果、加飾板のオモテ面のほぼ全域において、光放散層を付与した箇所が加飾柄の奥から部分的に光って浮かび上がることで、非点灯時とは異なる印象を与える優れた意匠となった。
【０１０２】
[実施例２]
光放散層を導光板（ポリカーボネート樹脂シート）のオモテ面側（即ち、加飾層と同じ側）に付与すること以外は全て実施例１と同様にして、実施例２に係る加飾成形品を作製した。この加飾成形品は、図９に示される第２実施形態の構成を持つものである。
【０１０３】
得られた加飾成形品に光を入射した結果、加飾板のオモテ面のほぼ全域において、光放散層を付与した箇所が加飾柄の奥から部分的に光って浮かび上がることで、非点灯時とは異なる印象を与える優れた意匠となった。また、光放散層が表側にあることで、実施例１より明るくくっきりとした光り方にすることができた。
【０１０４】
[実施例３]
導光板（ポリカーボネート樹脂シート）のオモテ面側に光放散層を形成し、第１低屈折率層をウラ面側に形成し、第１低屈折率層の上から加飾層、更にベース層を形成した後、オモテ面側の光放散層の上から保護層を形成し、その後、インサート成形を行った。その他の点、例えば各層を形成する材料、及び形成条件（印刷条件、乾燥条件等）などは実施例１と同様にして、実施例３に係る加飾成形品を作製した。この加飾成形品は、図１０に示される第３実施形態の構成を持つものである（但し、加飾層（１４）と樹脂成形体（２１）との間にベース層（１７）を追加）。
【０１０５】
得られた加飾成形品に光を入射した結果、加飾板のオモテ面のほぼ全域において、光放散層を付与した箇所が加飾柄の中で部分的に光って見えることで、非点灯時とは異なる印象を与え、また、光放散層をシートのオモテ面側に付与したことで光が浮き上がったような立体的な意匠が得られた。
【０１０６】
[実施例４]
導光板（ポリカーボネート樹脂シート）のウラ面側に光放散層を形成し、第１低屈折率層をウラ面に形成し、第１低屈折率層の上から加飾層、更にベース層を形成した後、インサート成形を行った。導光板のオモテ面には保護層や第２低屈折率層は形成しなかった。その他の点、例えば、各層を形成する材料、及び形成条件（印刷条件、乾燥条件等）などは実施例１と同様にして、実施例４に係る加飾成形品を作製した。この加飾成形品は、図１１に示される第４実施形態の構成を持つものである（但し、オモテ面側の第２低屈折率樹脂層（１３）は無し）。
【０１０７】
得られた加飾成形品に光を入射した結果、加飾板のオモテ面のほぼ全域において、光放散層を付与した箇所が加飾柄の中で部分的に光って見えることで、非点灯時とは異なる印象を与え、また、最表面が平坦な面となることで高級感のある意匠を持たせることができた。
【０１０８】
[実施例５]
実施例１において、第１及び第２低屈折率層を形成するインクを以下の通りに変更し（第１及び第２低屈折率層の屈折率を変更）、その他は全て実施例１と同様にして、実施例５に係る加飾成形品を作製した。
【０１０９】
・低屈折率層用インクの作製：
下記表６に示す配合に従い、各成分をミキサーにて混合することにより実施例５に係る低屈折率層用インクを作製した。
【０１１０】
【表６】
2018129123.tif 000008
【０１１１】
実施例５において、形成された第１及び第２低屈折率層の屈折率は１．５２１であった。また、得られた加飾成形品に光を入射した結果、実施例１と同様な意匠が得られた。
【０１１２】
以上、いくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【産業上の利用可能性】
【０１１３】
本実施形態に係る導光板、加飾板、加飾成形品及び加飾モジュールの用途は、特に限定されず、例えば、自動車のインストルメントパネルやドア内側材などの自動車内装材を始めとした各種の車両内装部品、家電製品や通信機器などの各種電気製品の筺体などに用いることができる。また、導光板は、液晶表示装置に組み込まれる面状ライトユニットなどに用いることもできる。
【符号の説明】
【０１１４】
１，１０Ａ，１０Ｂ，１０Ｃ…加飾板
２，２０，２０Ａ，２０Ｂ，２０Ｃ…加飾成形品
３，３０…加飾モジュール
１１…導光板、１１Ａ…一端部、１１Ｂ…他端部
１１Ｄ…第１側面、１１Ｅ…第２側面
１１Ｅ１…第１辺部、１１Ｅ２…第２辺部、１１Ｅ３…第３辺部、１１Ｅ４…第４辺部
１２…第１低屈折率層、１３…第２低屈折率層、１４…加飾層、１５…光放散層
２１…樹脂成形体、３１…発光素子（ＬＥＤ）
３２…入射面部、３２Ａ…外端、３２Ｂ…内端
Ｌ１…外端ライン、Ｌ２…入射面ライン、Ｌ３…内端ライン
Ｘ…長手方向（第１方向）、Ｙ…幅方向（第２方向）
【図１】
2018129123.tif 000009
【図２】
2018129123.tif 000010
【図３】
2018129123.tif 000011
【図４】
2018129123.tif 000012
【図５】
2018129123.tif 000013
【図６】
2018129123.tif 000014
【図７】
2018129123.tif 000015
【図８】
2018129123.tif 000016
【図９】
2018129123.tif 000017
【図１０】
2018129123.tif 000018
【図１１】
2018129123.tif 000019